(57)【要約】【課題】排水弁体の早閉まりを抑制することができる洗浄水タンク装置および水洗大便器を提供することを目的としている。【解決手段】洗浄水を貯留する貯水タンクと、貯水タンクの底部に設けられ、貯水タンクに貯留された洗浄水が排出される排水口と、排水口を囲むように排水口の上方に設けられる小タンクと、小タンクの側面部に設けられ、弁体によって開閉されるとともに貯水タンク内における洗浄水の排水後の死水水位の位置を設定する開口部と、小タンクの内方に設けられる制御筒と、制御筒内に上下動可能に設けられるフロートと、フロートの上下動に連動し、排水口を開閉する排水弁体と、を備えており、開口部には、側端部において上下方向に延びる立壁が形成されることを特徴とする。【選択図】図４
2018188821.tif 000002
【特許請求の範囲】
【請求項１】
洗浄水を貯留する貯水タンクと、
前記貯水タンクの底部に設けられ、前記貯水タンクに貯留された洗浄水が排出される排水口と、
前記排水口を囲むように前記排水口の上方に設けられる小タンクと、
前記小タンクの側面部に設けられ、弁体によって開閉されるとともに前記貯水タンク内における洗浄水の排水後の死水水位の位置を設定する開口部と、
前記小タンクの内方に設けられる制御筒と、
前記制御筒内に上下動可能に設けられるフロートと、
前記フロートの上下動に連動し、前記排水口を開閉する排水弁体と、
を備えており、
前記開口部には、側端部において上下方向に延びる立壁が形成されることを特徴とする洗浄水タンク装置。
【請求項２】
前記死水水位は、前記開口部の下端よりも上方の位置に設定されることを特徴とする請求項１に記載の洗浄水タンク装置。
【請求項３】
前記立壁の下方側には、前記立壁の一部を切り欠いた切り欠き部が形成されることを特徴とする請求項１又は２に記載の洗浄水タンク装置。
【請求項４】
前記開口部は、その下端が前記小タンクを上下に二等分したうちの下方側に位置することを特徴とする１乃至３のいずれか１項に記載の洗浄水タンク装置。
【請求項５】
請求項１乃至４のいずれか１項に記載の洗浄水タンク装置と、
便器と、
を備えることを特徴とする水洗大便器。
【発明の詳細な説明】
【技術分野】
【０００１】
本発明は、洗浄水タンク装置および水洗大便器に関する。
【背景技術】
【０００２】
従来、洗浄水を貯留する洗浄水タンク装置には、貯留タンクの排水口を開閉するために、たとえば、小タンクと、制御筒と、フロートと、排水弁体とを備えるものがある。小タンクは、排水口を囲むように配置される。制御筒は、小タンクの内方に配置される。フロートは、制御筒内に配置され、制御筒内の水位に応じた浮力によって上下動する。排水弁体は、フロートと共に上下動して排水口を開閉する。
【０００３】
また、かかる洗浄水タンク装置には、たとえば、小タンクの側面部に設けられた開口部を切替弁で調節することで、洗浄水タンク装置（貯留タンク）における排水終了後の水位（以下、「死水水位」という）を調節して洗浄水量を切り替えるものがある（たとえば、特許文献１参照）。
【先行技術文献】
【特許文献】
【０００４】
【特許文献１】特開２０１４−１９６６４９号公報
【発明の概要】
【発明が解決しようとする課題】
【０００５】
しかしながら、上記したような従来の洗浄水タンク装置では、小タンクの側面部に設けられた開口部を開放することで洗浄水量を多くしたとき、開口部から小タンク内へ流入する洗浄水の流速が速くなり、この小タンクへ流入した流速の速い洗浄水が、排水口から排出されるときに排水弁体を排水口側へ引き込んだり、排水弁体の上方から排水口側（下方）へ排水弁体を押し込んだりすることで、排水弁体が設定された時間よりも早く閉まる、いわゆる早閉まりが起きることがある。早閉まりが起きると、便器本体に供給される洗浄水の量が設定された量よりも少なくなり、便器本体に洗浄不良や詰まりが発生するおそれがある。
【０００６】
そこで、本発明は、上述した従来技術の問題を解決するためになされたものであり、排水弁体の早閉まりを抑制することができる洗浄水タンク装置および水洗大便器を提供することを目的としている。
【課題を解決するための手段】
【０００７】
上述した目的を達成するために、本発明は、洗浄水を貯留する貯水タンクと、前記貯水タンクの底部に設けられ、前記貯水タンクに貯留された洗浄水が排出される排水口と、前記排水口を囲むように前記排水口の上方に設けられる小タンクと、前記小タンクの側面部に設けられ、弁体によって開閉されるとともに前記貯水タンク内における洗浄水の排水後の死水水位の位置を設定する開口部と、前記小タンクの内方に設けられる制御筒と、前記制御筒内に上下動可能に設けられるフロートと、前記フロートの上下動に連動し、前記排水口を開閉する排水弁体と、を備えており、前記開口部には、側端部において上下方向に延びる立壁が形成されることを特徴とする。
【０００８】
このように構成された本発明においては、開口部から小タンク内へ流入する洗浄水の一部を、開口部に形成した立壁に衝突させ、流速を弱めた後に小タンク内へ流入させることができる。これにより、開口部から小タンク内に流入する洗浄水の流速が大きくなりすぎることを抑制することができ、排水弁体が設定された時間よりも早く閉まる、いわゆる排水弁体の早閉まりの発生を抑制することができる。
【０００９】
本発明において、好ましくは、前記死水水位は、前記開口部の下端よりも上方の位置に設定されることを特徴とする。
【００１０】
このように構成された本発明においては、死水水位が開口部の下端よりも上方の位置に設定されることで、死水水位が開口部の下端よりも下方の位置に設定されている場合に比べて、開口部から小タンク内に流入する洗浄水の流速が比較的速い状態のときに貯水タンク内の水位が死水水位に到達するため、排水弁体の早閉まりが発生しやすい。
しかし、本発明においては、開口部に立壁を形成しているため、開口部から小タンク内に流入する洗浄水の流速が大きくなりすぎることを抑制することができ、排水弁体が設定された時間よりも早く閉まる、いわゆる排水弁体の早閉まりの発生を抑制することができる。
【００１１】
本発明において、好ましくは前記立壁の下方側には、前記立壁の一部を切り欠いた切り欠き部が形成されることを特徴とする。
【００１２】
このように構成された本発明においては、立壁の下方側に、立壁の一部を切り欠いた切り欠き部を形成することで、止水水位のときに比べてヘッド圧（水頭圧）が低い死水水位付近における、開口部から小タンク内に流入する洗浄水の瞬間流量を確保することができる。したがって、洗浄水タンク装置から排出される洗浄水量が、設定された洗浄水量よりも少なくなってしまうことを抑制することができる。
【００１３】
本発明において、好ましくは、前記開口部は、その下端が前記小タンクを上下に二等分したうちの下方側に位置することを特徴とする。
【００１４】
このように構成された本発明においては、開口部の下端が小タンクを上下に二等分したうちの下方側に位置するため、洗浄水タンク装置を、装置全体の高さを抑えてローシルエット化することができる。また、開口部の高さ位置を低くすることで、開口部から小タンク内に流入する洗浄水の流速が大きくなることが考えられるが、本発明では開口部に立壁を設けているため、開口部から小タンク内に流入する洗浄水の流速が大きくなりすぎることを抑制し、排水弁体の早閉まりを抑制することができる。
【００１５】
本発明において、好ましくは、前記洗浄水タンク装置と、便器と、を備えることを特徴とする。
【００１６】
このように構成された本発明においては、開口部から小タンク内へ流入する洗浄水の一部を、開口部に形成した立壁に衝突させ、流速を弱めた後に小タンク内へ流入させて便器へ洗浄水を供給する。これにより、排水弁体が早閉まりを抑制し、便器に供給される洗浄水の量が設定された量よりも少なくなって便器に洗浄不良や詰まりが発生することを抑制することができる。
【発明の効果】
【００１７】
本発明の洗浄水タンク装置によれば、排水弁体の早閉まりを抑制することができる。
【図面の簡単な説明】
【００１８】
【図１】実施形態に係る水洗大便器１の概略斜視図である。
【図２】実施形態に係る洗浄水タンク装置１０の概略正断面図である。
【図３】排水弁装置１５の組み立て概略斜視図である。
【図４】切替弁４２を除いた排水弁装置１５の概略正面視図である。
【図５】排水弁装置１５の概略正断面図（その１）である。
【図６】排水弁装置１５の概略正断面図（その２）である。
【図７】図５におけるＡ部拡大図である。
【図８Ａ】排水弁装置１５の大洗浄モードの説明図（その１）である。
【図８Ｂ】排水弁装置１５の大洗浄モードの説明図（その２）である。
【図８Ｃ】排水弁装置１５の大洗浄モードの説明図（その３）である。
【図９】排水弁装置１５の小洗浄モードの説明図である。
【図１０】排水弁装置１５のエコ小洗浄モードの説明図である。
【図１１】排水弁装置１５の排水動作説明図である。
【発明を実施するための形態】
【００１９】
以下、添付図面を参照して、本願の開示する洗浄水タンク装置および水洗大便器の実施形態を詳細に説明する。なお、以下に示す実施形態によりこの発明が限定されるものではない。
【００２０】
＜１．水洗大便器＞
まず、図１を参照して実施形態に係る水洗大便器１について説明する。図１は、実施形態に係る水洗大便器１の概略斜視図である。なお、図１においては、説明をわかりやすくするために、鉛直上向きを正方向とするＺ軸を含む３次元の直交座標系を図示している。なお、かかる直交座標系は、他の図においても図示している場合がある。
【００２１】
また、かかる直交座標系は、Ｘ軸の正方向視を「左側面」、Ｘ軸の負方向視を「右側面」と規定し、Ｙ軸の負方向視を「正面」と規定している。このため、以下の説明では、Ｘ軸方向を左右方向（「水平方向」ともいう）、Ｙ軸方向を前後方向、Ｚ軸方向を上下方向（「鉛直方向」ともいう）という場合がある。
【００２２】
図１に示すように、水洗大便器１は、便器本体（以下、「便器」という）２と、ボウル部３と、導水路４と、トラップ管路５とを備える。便器２のボウル部３の上縁部には、内側にオーバーハングしたリム６と、導水路４から供給される洗浄水を吐出する第１吐水口７が設けられる。第１吐水口７から吐出された洗浄水は、ボウル部３内を旋回しながら、ボウル部３を洗浄する。
【００２３】
ボウル部３の下方には、図１中に一点鎖線で示すように、溜水部８が設けられる。溜水部８の下方には、トラップ管路５の入口５ａが開口され、入口５ａから上昇路５ｂが後方へ延びて設けられる。上昇路５ｂには、下降路５ｃが連続し、下降路５ｃの下端部は、排水ソケット（図示省略）を介して床下の排水管（図示省略）に接続される。
【００２４】
また、ボウル部３の上方には、導水路４から供給される洗浄水を吐出する第２吐水口９が設けられる。第２吐水口９から吐出された洗浄水は、溜水部８の溜水を上下方向に旋回させる。これにより、旋回流が生じる。
【００２５】
便器２の導水路４の上方には、便器２へ供給する洗浄水を貯留する洗浄水タンク装置１０が設けられる。洗浄水タンク装置１０の貯水タンク１２（図２参照）の底面には、便器２の導水路４と連通する排水口１２ａが設けられる。貯水タンク１２内の洗浄水は、排水口１２ａから導水路４へ排出される。
【００２６】
なお、本実施形態では、水洗大便器１として、ボウル部３内の水の落差による流水作用で汚物などを押し流す、いわゆる洗い落し式を例に説明するが、これに限定されず、たとえば、サイホン作用を利用してボウル部３内の汚物などを吸い込んでトラップ管路５から一気に排出する、いわゆるサイホン式であってもよい。
【００２７】
＜２．洗浄水タンク装置＞
次に、図２を参照して実施形態に係る洗浄水タンク装置１０について説明する。図２は、実施形態に係る洗浄水タンク装置１０の概略正断面図である。図２に示すように、洗浄水タンク装置１０は、外装タンク１１と、貯水タンク１２と、蓋体１３とを備える。外装タンク１１は、蓋体１３と共に洗浄水タンク装置１０の外観を形成する。貯水タンク（または、単に「タンク」ともいう）１２は、外装タンク１１内に設けられ、洗浄水が貯留される。
【００２８】
蓋体１３は、外装タンク１１の上部に取り付けられ、外装タンク１１と共に洗浄水タンク装置１０の外観を形成する。また、貯水タンク１２の底面には、便器２の導水路４（図１参照）に連通する排水口１２ａが設けられる。なお、たとえば、外装タンク１１および蓋体１３は、たとえば陶器製である。
【００２９】
また、洗浄水タンク装置１０は、給水装置１４と、排水弁装置１５と、操作装置１６とを備える。給水装置１４は、外部の水道管などの給水源（図示省略）から供給される洗浄水を貯水タンク１２内へ給水する。排水弁装置１５は、排水口１２ａを開閉する。操作装置１６は、排水弁装置１５を操作する。
【００３０】
給水装置１４は、排水弁装置１５による排水開始の所定時間後、給水を開始する。給水装置１４は、貯水タンク１２の満水時の水位（以下、「止水水位」という）ＷＬ０を、図２に示す位置で一定となるように給水する。また、給水装置１４は、給水管１７と、フロート（「給水装置用フロート」ともいう）１８と、吐水管１９と、給水バルブ２１とを備える。
【００３１】
給水管１７は、上記した給水源に接続される。フロート１８は、給水装置１４用のフロートである。吐水管１９は、給水管１７と連通して貯水タンク１２に洗浄水を吐出する。給水バルブ２１は、フロート１８にレバー２０を介して連結される。また、給水装置１４は、蓋体１３の上面に設けられた手洗いカラン２３に給水する手洗い給水管２２をさらに備える。
【００３２】
手洗いカラン２３は、たとえば、便器２（図１参照）への洗浄水の供給開始時に、蓋体１３の上面に設けられた手洗い鉢１３ａに手洗い用の水を吐出する。また、手洗いカラン２３から吐出された水は、手洗い鉢１３ａに設けられた吐水口（または、「流入口」ともいう）１３ｂにより貯水タンク１２へ入流する。
【００３３】
蓋体１３の下方には、吐水口１３ｂから流入する水を、排水弁装置１５の制御筒２４の外方へ導く導水部材２５が設けられる。操作装置１６は、操作レバー２６と、モータ２７と、操作ボタン２８とを備える。操作レバー２６は、一方（たとえば、図２中の手前側）に所定角度（たとえば、９０度）回転させると、大洗浄が開始される。操作ボタン２８は、大洗浄、小洗浄およびエコ小洗浄の３つのボタンを有する。
【００３４】
また、操作レバー２６は、他方（たとえば、図２中の奥側）に所定角度（たとえば、９０度）回転させると、小洗浄が開始される。このように、操作レバー２６は、排水弁装置１５を作動させる手動式のレバーである。
【００３５】
モータ２７は、大洗浄用のボタンが押されると、操作レバー２６を、上記した一方（たとえば、手前）方向へ回転させる。モータ２７は、小洗浄用のボタンが押されると、操作レバー２６を、上記した他方（たとえば、奥）方向へ回転させる。すなわち、モータ２７は、大洗浄あるいは小洗浄が開始されるように、排水弁装置１５を作動させる。
【００３６】
なお、本実施形態では、大洗浄および小洗浄については、操作レバー２６による手動操作としてもよいし、操作ボタン２８による操作としてもよい。また、エコ小洗浄については、モータ２７によってのみ、すなわち、使用者が操作ボタン２８を押すことによって排水弁装置１５が作動される。
【００３７】
また、操作レバー２６およびモータ２７には、ワイヤ部材やユニバーサルジョイントなどによって構成される回転伝達部材２９が連結される。回転伝達部材２９の他端側には、回転伝達部材２９の回転に伴って、回転伝達部材２９を中心に揺動する第１引き上げ部材３０および第２引き上げ部材３１が取り付けられる。第１引き上げ部材３０および第２引き上げ部材３１の先端部には、それぞれ第１玉鎖３２の上端部および第２玉鎖３３の上端部が取り付けられる。
【００３８】
第１引き上げ部材３０および第２引き上げ部材３１は、回転伝達部材２９を一方（手前）側に回転させると、第１引き上げ部材３０のみが一方側へ揺動して第１玉鎖３２を引き上げる。一方、回転伝達部材２９を他方（奥）側に回転させると、第１引き上げ部材３０および第２引き上げ部材３１の双方が他方側へ揺動して第１玉鎖３２および第２玉鎖３３の双方を引き上げる。
【００３９】
＜３．排水弁装置＞
次に、図２〜図７を参照して実施形態に係る洗浄水タンク装置１０に設けられる排水弁装置１５について説明する。図３は、排水弁装置１５の組み立て概略斜視図である。図４は、切替弁４２を除いた排水弁装置１５の概略正面視図である。図５および図６は、排水弁装置１５の概略正断面図である。図７は、図５におけるＡ部拡大図である。
【００４０】
なお、図５には、排水開始前または排水終了後の排水弁体３５が排水口１２ａを閉止している状態を示している。また、図６には、図５における断面よりも前方側の断面を示している。
【００４１】
図３、図４および図５に示すように、排水弁装置１５は、弁座３４と、排水弁体３５と、オーバーフロー管３６とを備える。弁座３４は、排水口１２ａの上縁に沿って設けられる。排水弁体３５は、弁座３４の上端面に上方から接触することにより、排水口１２ａを閉止する。オーバーフロー管３６は、上下方向に延びて設けられ、下端部に排水弁体３５が取り付けられる。
【００４２】
オーバーフロー管３６は、排水弁体３５が保持されている弁体保持部３６ａから上方へ延びて制御筒２４に対して上下方向に摺動可能な摺動動部材である。また、オーバーフロー管３６は、排水弁体３５が排水口１２ａを閉止している状態で貯水タンク１２内の洗浄水の水位がオーバーフロー管３６の上端を超えた場合に、超えた洗浄水について、オーバーフロー管３６内を通過させて排水口１２ａに流出させる。
【００４３】
また、排水弁装置１５は、排水口形成部材３７と、制御筒２４と、小タンク３８と、フロート３９とを備える。排水口形成部材３７は、貯水タンク１２の底部に接続されて排水口１２ａを形成する。制御筒２４は、排水口形成部材３７の上端部に下端部が接続されて固定される。小タンク３８は、排水口形成部材３７の上端部に下端部が接続されて制御筒２４が内方に配置される。フロート３９は、制御筒２４内に配置され、制御筒２４内の水位に応じて上下動する。
【００４４】
また、排水弁装置１５は、接続部材４０と、切替弁４２とを備える。接続部材４０は、オーバーフロー管３６と第１玉鎖３２とを接続する。切替弁４２は、小タンク３８の側面部に設けられた開口部４１を開閉する。
【００４５】
また、排水弁装置１５は、係止／係止解除機構部４３（図５参照）をさらに備える。係止／係止解除機構部４３は、制御筒２４に対してフロート３９を係止したり、互いの係止を解除したりする。係止／係止解除機構部４３は、フロート３９が排水弁体３５と干渉しないように、制御筒２４の一部に配置される。
【００４６】
係止／係止解除機構部４３は、排水弁体３５が排水口１２ａを閉止している状態において、フロート３９の浮力が排水弁体３５の閉止力を低下させないように、フロート３９を制御筒２４に係止する。また、係止／係止解除機構部４３は、排水弁体３５が所定の開弁位置よりも上方に位置している状態で制御筒２４に対するフロート３９の係止を解除する。
【００４７】
排水弁体３５は、オーバーフロー管３６の下端部に設けられた、たとえば断面コ字状の弁体保持部３６ａに嵌め込まれ、オーバーフロー管３６と共に上下動して、排水口１２ａを開閉する。また、オーバーフロー管３６の上下方向の中間部よりも上端寄りの側面には、接続部材４０が嵌合されて保持される嵌合凹部３６ｂが全周にわたって設けられる。
【００４８】
また、オーバーフロー管３６における弁体保持部３６ａと嵌合凹部３６ｂとの間の下端寄りの側面には、オーバーフロー管３６の径方向の外側に突出し、かつ、上下方向に延びる複数の縦長のリブ３６ｃが周方向に所定間隔をあけて設けられる。これと同様に、オーバーフロー管３６の弁体保持部３６ａと嵌合凹部３６ｂとの間における下端寄りの側面にはオーバーフロー管３６の径方向の外側に突出し、かつ、上下方向に延びる複数のリブ３６ｄが周方向に所定間隔をあけて設けられる。
【００４９】
図３〜図６に示すように、制御筒２４は、外側壁２４ａと、内側壁２４ｂとを備える。外側壁２４ａは、円筒状に形成される。内側壁２４ｂは、円筒状に形成され、オーバーフロー管３６の上下動をガイドする。なお、オーバーフロー管３６が内側壁２４ｂ内を上下動した場合に、オーバーフロー管３６が制御筒２４の内側壁２４ｂの壁面に当接することで、オーバーフロー管３６が上下方向に直動するように規制される。
【００５０】
制御筒２４は、中間水平壁２４ｃをさらに備える。中間水平壁２４ｃは、外側壁２４ａおよび内側壁２４ｂと共に、洗浄水を貯水可能とする。外側壁２４ａ、内側壁２４ｂおよび中間水平壁２４ｃは、制御筒２４内の貯水部２４ｄを形成する。とくに、中間水平壁２４ｃは、貯水部２４ｄの底面を形成する。
【００５１】
また、貯水部２４ｄの外側壁２４ａには、貯水部２４ｄ内に貯留される洗浄水を所定の流量で流出させるための小穴２４ｅが設けられる。小穴２４ｅは、スライド部材（切替部材）４４によりスライド開閉され、貯水部２４ｄ内から流出させる洗浄水の流量を調節する。
【００５２】
貯水部２４ｄの底面を形成する中間水平壁２４ｃには、貯水部２４ｄ内に貯留される洗浄水を所定の流量で流出させるための小穴２４ｆが設けられる。また、中間水平壁２４ｃには、小穴２４ｆを開閉する開閉弁４５が設けられる。開閉弁４５は、小穴２４ｆを開閉する弁部４５ａと、支点部４５ｂと、力点部４５ｃとを備える。開閉弁４５は、弁部４５ａから支点部４５ｂまで延びた後、支点部４５ｂで力点部４５ｃに向かい折れ曲がった、正面視において略Ｖ字状の薄板部材である。
【００５３】
また、開閉弁４５の支点部４５ｂは、中間水平壁２４ｃに設けられた開閉弁保持部２４ｇに保持される。なお、排水弁体３５が排水口１２ａを閉止した状態で、フロート３９の下端が制御筒２４の底面（すなわち、中間水平壁２４ｃ）付近まで下降した場合、フロート３９の下端が開閉弁４５の力点部４５ｃに接触して下方に押圧されることにより、開閉弁４５の弁部４５ａが小穴２４ｆを開放する方向に支点部４５ｂを中心に回動可能となる。
【００５４】
これにより、フロート３９の下端が制御筒２４の貯水部２４ｄの底面（中間水平壁２４ｃ）付近まで下降した場合に、制御筒２４の貯水部２４ｄ内の洗浄水を十分に排出することができ、制御筒２４の貯水部２４ｄ内の洗浄水によってフロート３９に浮力が生じることを防止することができる。
【００５５】
すなわち、小穴２４ｆおよび開閉弁４５は、排水弁体３５が閉止状態である場合に、フロート３９の下端が制御筒２４の底面（中間水平壁２４ｃ）まで下降可能に制御筒２４内の洗浄水を排出するための排水手段として機能する。
【００５６】
また、制御筒２４の外側壁２４ａには、貯水部２４ｄよりも下方に、排水時に制御筒２４の外方側の洗浄水を排水口１２ａへ流入させるための流入口２４ｈ（図３参照）が設けられる。また、貯水部２４ｄの内方には、フロート３９が配置される。フロート３９の上方には、接続部材４０がオーバーフロー管３６の嵌合凹部３６ｂ内に側方から嵌め込まれる。接続部材４０は、オーバーフロー管３６に対して水平方向に回転可能に取り付けられる一方、オーバーフロー管３６に対しては上下方向に移動不可能に固定される。
【００５７】
また、接続部材４０には、第１引き上げ部材３０に取り付けられた第１玉鎖３２の下端部が取り付けられる。接続部材４０は、排水時にオーバーフロー管３６を引き上げるために使用される。
【００５８】
使用者が操作レバー２６を回転させるか、あるいは、洗浄のための操作ボタン２８が押されてモータ２７が作動されると、第１玉鎖３２が引き上げられる。この場合、オーバーフロー管３６および排水弁体３５は、貯水タンク１２内に貯留されている洗浄水のヘッド圧（水頭圧）によって鉛直下方向に抑えられているため、接続部材４０がオーバーフロー管３６に対して水平方向に回転した後、オーバーフロー管３６が鉛直上方向へ移動する。
【００５９】
これにより、オーバーフロー管３６が回転しながら鉛直上方向に移動することを防ぐことができ、排水弁装置１５の開弁動作を安定させることができる。また、接続部材４０は、満水時には、フロート３９の上昇を抑えるストッパとしても機能する。接続部材４０は、排水時には、フロート３９の上面に当接して、オーバーフロー管３６および排水弁体３５をフロート３９と共に下降させる。
【００６０】
ここで、小タンク３８および切替弁４２などによって構成される流量調節機構について説明する。とくに図３および図５に示すように、小タンク３８は、矩形状に形成され、４辺の上縁部３８ａを有し、上方が開放されている。小タンク３８には、矩形状の４つの側面部のうち、１つの側面部に矩形状の開口部４１が設けられる。なお、小タンク３８は、矩形状に限定されない。たとえば、小タンク３８が円筒状であってもよい。
【００６１】
開口部４１は、弁体、すなわち、切替弁４２によって開閉可能に構成され、開放量によって洗浄水タンク装置１０（貯水タンク１２）内の洗浄水の死水水位の位置を設定する。また、切替弁４２は、第１切替弁４６と、第２切替弁４７とを備える。小タンク３８は、開口部４１の下方、かつ、両側方に軸３８ｃを有し、第１切替弁４６の受部４６ａに軸３８ｃを挿通させる。小タンク３８には、第１切替弁４６が揺動自在に取り付けられる。
【００６２】
また、第２切替弁４７には、第１切替弁４６の受部４６ａに揺動自在に嵌められる孔部
４７ａが設けられる。したがって、第１切替弁４６は、軸３８ｃを中心に、下方位置から開口部４１を閉じる位置まで揺動可能となり、第２切替弁４７は、軸３８ｃを中心に、下方位置から開口部４１を閉じている第１切替弁４６に当接する位置まで揺動可能となる。
【００６３】
また、第１切替弁４６には、第１切替弁４６が開口部４１を閉じたときに小タンク３８の外方と内方とを連通させる連通口４６ｂが設けられる。なお、連通口４６ｂの開口面積は開口部４１の開口面積よりも小さい。具体的には、連通口４６ｂの開口面積は、開口部４１を全開にした場合よりも洗浄水の流量が所定量少なくなるような大きさが好ましい。このように、第１切替弁４６は、小タンク３８の開口部４１の開口面積を調節（減少）することができる。
【００６４】
また、第２切替弁４７には、第１切替弁４６側に向けて延びる突出部４７ｂが設けられる。突出部４７ｂは、第２切替弁４７が第１切替弁４６に近接、あるいは、当接された場合に、第１切替弁４６の連通口４６ｂに挿入可能な位置および角度で設けられる。また、第２切替弁４７には、第２引き上げ部材３１に取り付けられた第２玉鎖３３の下端部が取り付けられる。
【００６５】
また、第１切替弁４６および第２切替弁４７には、錘４８，４９がそれぞれ取り付けられる。本実施形態では、第１切替弁４６および第２切替弁４７の双方が開弁して、開口部４１が全開している場合に、３種類の洗浄モードのうちの大洗浄モードが実行可能となる。
【００６６】
なお、本実施形態では、第１切替弁４６が閉弁して、第２切替弁４７が開弁して、開口部４１が第１切替弁４６の連通口４６ｂによって開放されている状態で、大洗浄モードよりも少ない洗浄水量である小洗浄モードが実行可能となる。また、本実施形態では、第１切替弁４６および第２切替弁４７の双方が閉弁して、開口部４１が全閉している場合に、小洗浄モードよりもさらに少ない洗浄水量であるエコ小洗浄モードが実行可能となる。
【００６７】
図４に示すように、排水弁装置１５において、小タンク３８の側面部３８ｂに設けられた開口部４１には、開口部４１の左右両側端部において上下方向に延びる立壁４１ａ，４１ｂが形成される。
このように、開口部４１に立壁４１ａ，４１ｂが形成されることで、開口部４１から小タンク３８内に洗浄水が流入するとき、開口部４１を通過する洗浄水の一部は、立壁４１ａ，４１ｂに衝突して流速が弱められた後に小タンク３８内に流入する。
【００６８】
また、開口部４１に形成された立壁４１ａ，４１ｂの下方側には、開口部４１の開口面積が広くなる方向に立壁４１ａ，４１ｂの一部を切り欠いた切り欠き部４１ｃ，４１ｄが形成される。
【００６９】
図３に戻り、開口部４１は、その下端４１ｅが小タンク３８を上下に二等分したうちの下方側に位置する。このように、開口部４１の下端４１ｅを下方に位置させることで、小タンク３８の高さを低くすることができ、洗浄水タンク装置１０を、装置全体の高さを抑えてローシルエット化することができる。
【００７０】
また、図５に示すように、係止／係止解除機構部４３は、支持部材５０を備える。支持部材５０は、制御筒２４の内側壁２４ｂの外側、かつ、上端部にある取付穴２４ｉに挿入されて固定される固定部５０ａを備える。係止／係止解除機構部４３は、支持部材５０の一対のヒンジ軸部５０ｂに回転可能に取り付けられたカム部材５１を備える。
【００７１】
カム部材５１は、取付穴部５１ａと、第１アーム部５１ｂと、第２アーム部５１ｃとを備える。取付穴部５１ａは、ヒンジ軸部５０ｂに挿入して取り付けられる。第１アーム部５１ｂは、取付穴部５１ａから斜め下方へ延びて設けられる。第２アーム部５１ｃは、取付穴部５１ａから略水平方向に延びて設けられる。
【００７２】
係止／係止解除機構部４３は、圧縮コイルばね５２をさらに備える。圧縮コイルばね５２は、カム部材５１の第１アーム部５１ｂと支持部材５０との間に介在させて設けられる。圧縮コイルばね５２は、カム部材５１を、ヒンジ軸部５０ｂの軸まわりに第１回動方向Ｒ１（図７参照）に回動させるように付勢力Ｆ１で付勢している。
【００７３】
また、図３に示すように、フロート３９は、円筒状であるが、一部が中央部から径方向の外側へ切り欠かれた形状であり、周方向に所定間隔の隙間３９ａを有する。また、フロート３９の隙間３９ａを形成して互いに対向する周方向端部３９ｂ，３９ｃには、一部同士を架橋してフロート３９の外周面よりも外側に突出する突出部３９ｄが設けられる。
【００７４】
図７に示すように、排水弁体３５が排水口１２ａを閉止している状態のフロート３９においては、カム部材５１の第１アーム部５１ｂの先端部（下端部）に突出部３９ｄが当接することで、フロート３９を上昇できないように規制する。
【００７５】
また、オーバーフロー管３６において、周面から外側へ突出して、軸方向に突出した突出部であるリブ３６ｄの上端部３６ｅは、排水時に、オーバーフロー管３６を引き上げると、係止／係止解除機構部４３のカム部材５１の第２アーム部５１ｃの先端部に当接する。
【００７６】
さらにオーバーフロー管３６を引き上げると、カム部材５１は、圧縮コイルばね５２の付勢力Ｆ１に抗して、第１回動方向Ｒ１とは反対方向の第２回動方向Ｒ２へ回動し、フロート３９の突出部３９ｄとカム部材５１の第１アーム部５１ｂの先端部との係止が解除されて、カム部材５１の全体がフロート３９の突出部３９ｄよりも内側に位置するようになり、フロート３９がカム部材５１を通過して上昇する。
【００７７】
次に、図８Ａ〜図８Ｃを参照して排水弁装置１５の大洗浄モードにおける排水動作について説明する。図８Ａ〜図８Ｃは、排水弁装置１５の大洗浄モードの説明図である。なお、図８Ｂには、図８Ａおよび図８Ｃにおける断面よりも前方側の断面を示している。
【００７８】
大洗浄モードの開始時、使用者が操作レバー２６（図２参照）を手前側に９０度回転させるか、あるいは、操作ボタン２８が押されてモータ２７（図２参照）が作動されると、図８Ａ〜図８Ｃに示すように、第１引き上げ部材３０（図２参照）のみが揺動され、第１玉鎖３２を介してオーバーフロー管３６および排水弁体３５が距離Ｈ１だけ上方へ最高位置まで引き上げられる。
【００７９】
これにより、貯水タンク１２の排水口１２ａが開放されて、排水が開始される。なお、このとき、第２引き上げ部材３１（図２参照）は揺動されないので、小タンク３８の開口部４１を開閉する第１切替弁４６および第２切替弁４７は、開口部４１から離間した位置のままである。すなわち、開口部４１は全開であり、開口面積は変わらない。
【００８０】
オーバーフロー管３６および排水弁体３５が最高位置まで引き上げられて、フロート３９が最高位置まで上昇した後の貯水タンク１２内の洗浄水の水位ＷＬは、時間と共に低下する。これにより、オーバーフロー管３６および排水弁体３５が下降する。また、接続部材４０の下端部に当接しているフロート３９も、オーバーフロー管３６および排水弁体３５と共に下降する。
【００８１】
とくに、図８Ｃに示すように、貯水タンク１２内の洗浄水の水位ＷＬは、制御筒２４の上縁部３８ａよりも低下すると、制御筒２４の貯水部２４ｄ内の水位ｗｌよりも低い位置となる。
【００８２】
貯水タンク１２内の洗浄水の全体の水位ＷＬが時間と共にさらに低下し、洗浄水の全体の水位ＷＬが小タンク３８の上縁部３８ａ付近まで低下した時点で、小タンク３８内の洗浄水が急速に排水口１２ａから排出される。そして、最終的には、排水弁体３５が排水口１２ａを閉止した状態になり、貯水タンク１２内の洗浄水が死水水位ＤＷＬとなり、洗浄水タンク装置１０（図２参照）からの排水が終了する。
【００８３】
また、制御筒２４の貯水部２４ｄ内の洗浄水の水位ｗｌは、貯水タンク１２および小タンク３８内の洗浄水の水位ＷＬよりも高い位置にあるが、制御筒２４の貯水部２４ｄ内の洗浄水が小穴２４ｅから流出することで、制御筒２４の貯水部２４ｄ内の水位ｗｌが低下するため、フロート３９についても、制御筒２４の貯水部２４ｄ内の水位ｗｌの低下と共に下降する。
【００８４】
さらに、フロート３９が下降することにより、フロート３９の下端が制御筒２４の底面（中間水平壁２４ｃ）付近まで下降すると、フロート３９の下端が開閉弁４５の力点部４５ｃを下方へ押圧することにより、開閉弁４５の弁部４５ａが小穴２４ｅを開放する方向に支点部４５ｂを中心に回動する。これにより、小穴４５ｅが開放され、制御筒２４の貯水部２４ｄ内の洗浄水が排出される。制御筒２４の貯水部２４ｄ内の洗浄水が空の状態となり、フロート３９は最も下降した状態となり、制御筒２４の貯水部２４ｄ内の洗浄水による浮力も生じない。
【００８５】
次に、図９を参照して排水弁装置１５の小洗浄モードにおける排水動作について説明する。図９は、排水弁装置１５の小洗浄モードの説明図である。なお、図９には、洗浄水タンク装置１０を含めて、排水弁装置１５の正断面を示している。
【００８６】
小洗浄モードの開始時、使用者が操作レバー２６を奥側に９０度回転させるか、あるいは、操作ボタン２８が押されてモータ２７が作動されると、図９に示すように、第１引き上げ部材３０および第２引き上げ部材３１の双方が揺動され、第１玉鎖３２を介してオーバーフロー管３６および排水弁体３５が引き上げられる。
【００８７】
これにより、貯水タンク１２の排水口１２ａが開放されて、排水が開始される。これと同時に、第２玉鎖３３を介して第２切替弁４７が引き上げられる。第２切替弁４７の内方側には第１切替弁４６が設けられているので、第１切替弁４６も第２切替弁４７によって開口部４１を閉じる位置まで引き上げられる。
【００８８】
なお、このような引き上げの完了の直後に操作レバー２６は初期位置に戻されて、第１引き上げ部材３０および第２引き上げ部材３１が初期位置に戻されるか、あるいは、操作ボタン２８が押されてモータ２７の作動によって引き上げが行われた場合は、引き上げの完了の直後に第１引き上げ部材３０および第２引き上げ部材３１が初期位置に戻るようにモータ２７が作動される。
【００８９】
第２引き上げ部材３１が初期位置に戻されると、第２切替弁４７は、自重によって初期位置に戻る。この場合、第２引き上げ部材３１は、錘４９によって、より確実に初期位置に戻る。一方、第１切替弁４６は、開口部４１を閉じる位置に保持されたままである。すなわち、排水開始後、小タンク３８の内方を流れる洗浄水の流速が小タンク３８の外方を流れる洗浄水の流速よりも相対的に大きくなる。これは、小タンク３８の内方の流路面積が第１切替弁４６の連通口４６ｂの流路よりも大きいためである。
【００９０】
これにより、第１切替弁４６の内外で差圧が生じ、第１切替弁４６に開口部４１を閉じる力が加わるため、第１切替弁４６は開口部４１を閉じた状態に保持される。このように、第１切替弁４６は、開口部４１を閉じた状態に保持されるため、小タンク３８の開口部４１の開口面積は、第１切替弁４６の連通口４６ｂの開口面積まで減少する。したがって、開口部４１を介して、小タンク３８の外方から内方へ流入する洗浄水量は開口面積の減少分だけ少なくなる。
【００９１】
貯水タンク１２内の洗浄水の全体の水位ＷＬが時間と共に低下し、その後、洗浄水の水位が小タンク３８の上縁部３８ａ付近まで低下した時点で、小タンク３８内の洗浄水が急激に排水口１２ａから排出される。これに伴い、貯水部２４ｄ内の洗浄水も、小穴２４ｅ，２４ｆから流出し、貯水部２４ｄ内の水位の低下に伴ってフロート３９も下降する。貯水部２４ｄ内の洗浄水の水位がフロート３９に浮力を与えない状態で、排水弁体３５が排水口１２ａを閉止し、排水が終了する。なお、小洗浄モードの場合の排水終了後の状態の貯水タンク１２内の死水水位ＤＷＬは、大洗浄モードの場合よりも高い水位となる。
【００９２】
次に、図１０を参照して排水弁装置１５のエコ小洗浄モードにおける排水動作について説明する。図１０は、排水弁装置１５のエコ小洗浄モードの説明図である。なお、図１０には、洗浄水タンク装置１０を含めて、排水弁装置１５の正断面を示している。
【００９３】
エコ小洗浄モードの開始時、使用者によって操作ボタン２８が押されてモータ２７が作動されると、図１０に示すように、第１引き上げ部材３０および第２引き上げ部材３１の双方が揺動され、第１玉鎖３２を介してオーバーフロー管３６および排水弁体３５が引き上げられ、排水口１２ａが開いて、排水が開始される。
【００９４】
これと同時に、第２玉鎖３３を介して第２切替弁４７が引き上げられる。第２切替弁４７の内方側には第１切替弁４６が設けられているので、第２切替弁４７によって第１切替弁４６も引き上げられ、第１切替弁４６および第２切替弁４７は開口部４１に所定距離近接される。
【００９５】
一方、第１切替弁４６は、小タンク３８の内方を流れる洗浄水の流速による負圧により開口部４１側へ引き付けられ、その後、上記したように、小タンク３８の内外の流速差により生じる差圧によって開口部４１を閉じる位置に保持される。このように、エコ小洗浄モードでは、第１切替弁４６は開口部４１を閉じた状態に保持され、第２切替弁４７は第２引き上げ部材３１や第２玉鎖３３などを介してモータ２７によって所定位置に保持される。
【００９６】
また、かかる所定位置では、第２切替弁４７に設けられた突出部４７ｂが第１切替弁４６の連通口４６ｂに挿入されているので、第１切替弁４６の連通口４６ｂの開口面積が減少する。したがって、小タンク３８の開口部４１の開口面積は、小洗浄モードの場合よりもさらに減少し、開口部４１を介して小タンク３８の外方から内方へ流入する洗浄水量は小洗浄モードの場合よりもさらに少なくなる。
【００９７】
エコ小洗浄モードにおいても、洗浄水の水位が小タンク３８の上縁部３８ａ付近まで低下した時点で、小タンク３８内の洗浄水が急激に排水口１２ａから排出される。これに伴い、貯水部２４ｄ内の洗浄水も、小穴２４ｅ，２４ｆから流出する。ここで、エコ小洗浄モードでは、オーバーフロー管３６および排水弁体３５が保持されているので、大洗浄モードおよび小洗浄モードとは異なり、貯水部２４ｄ内の水位の低下に伴ってフロート３９
のみが下降する。
【００９８】
そして、所定時間経過後、オーバーフロー管３６および排水弁体３５の保持および第２切替弁４７の保持を解除し、オーバーフロー管３６および排水弁体３５を下降させて、排水弁体３５が排水口１２ａを閉じて排水が終了する。なお、エコ小洗浄モードの場合の排水終了後の状態の貯水タンク１２内の死水水位ＤＷＬは、小洗浄モードの場合よりも高い水位となる。
【００９９】
次に、図１１を参照して排水弁装置１５の排水動作について説明する。図１１は、排水弁装置１５の排水動作説明図である。
【０１００】
なお、図１１には、排水弁装置１５が大洗浄モードに設定されている例を示している。したがって、切替弁４２は、第１切替弁４６および第２切替弁４７の双方が開口部４１を開放している。また、ここでは、小タンク３８における開口部４１による排水動作を説明する。
【０１０１】
大洗浄モードの排水開始前、排水弁装置１５において、オーバーフロー管３６および排水弁体３５は、最下位置にあり、貯水タンク１２（図２参照）の排水口１２ａを閉止している。図１１（図中左側）に示すように、大洗浄モードの排水開始後、オーバーフロー管３６および排水弁体３５が引き上げられると、排水口１２ａが開放され、洗浄水が排水口１２ａから排出される。
【０１０２】
このとき、貯水タンク１２内の洗浄水は、開口部４１から小タンク３８内へ流入する。開口部４１には立壁４１ａ，４１ｂが設けられているため、開口部４１から小タンク３８内へ流入する洗浄水の一部、特に開口部４１の左右両側方から開口部４１内へ流入する洗浄水の一部は、立壁４１ａ，４１ｂに衝突して流速が弱められた後に小タンク３８内へ流入する。
仮に、本発明の実施形態のように開口部４１に立壁４１ａ，４１ｂが設けられていない場合、開口部４１内へ流入する洗浄水の流速が大きいと、洗浄水は大きな流速を保ったまま開口部４１を通過して小タンク３８内へ流入する。そうすると、小タンク３８内へ流入した流速の大きい洗浄水が、下降途中の排水弁体３５を上面から下方側へ押し込んだり、排水口１２ａ内へ勢い良く流入することで排水弁体３５を排水口１２ａ側（下方）へ引き込んだりしてしまうおそれがある。これにより、排水弁体３５が設定された時間よりも早く閉まる、いわゆる早閉まりが発生してしまうおそれがある。
しかし、本発明の実施形態においては、開口部４１から小タンク３８内へ流入する洗浄水の一部を、立壁４１ａ，４１ｂに衝突させて流速を弱めた後に小タンク３８内へ流入させている。これにより、開口部４１から小タンク３８内に流入する洗浄水の流速が大きくなりすぎることを抑制することができ、上述したような排水弁体３５の早閉まりの発生を抑制することができる。
【０１０３】
図１１（図中中央）に示すように、貯水タンク１２内の洗浄水の水位ＷＬの低下と共にオーバーフロー管３６および排水弁体３５が下降すると、ヘッド圧（水頭圧）が下がることで開口部４１から小タンク３８内へ流入する洗浄水の瞬間流量は低下する。特に、貯水タンク１２内の水位が死水水位ＤＷＬ付近のときにおいては、止水水位ＷＬ０のときに比べて開口部４１から小タンク３８内へ流入する洗浄水の瞬間流量が大きく低下する。これにより、排水口１２ａから排出される洗浄水量が、設定された洗浄水量よりも少なくなってしまうおそれがある。
これについて、本発明の実施形態においては、立壁４１ａ，４１ｂの下方側の一部を切り欠いた切り欠き部４１ｃ，４１ｄを設けているので、ヘッド圧（水頭圧）が低くなってしまう死水水位ＤＷＬ付近における、開口部４１から小タンク３８内に流入する洗浄水の瞬間流量を確保することができる。したがって、排水口１２ａから排出される洗浄水量が、設定された洗浄水量よりも少なくなってしまうことを抑制することができる。
【０１０４】
そして、図１１（図中右側）に示すように、貯水タンク１２内の洗浄水の水位が死水水位ＤＷＬまで下降したとき、オーバーフロー管３６および排水弁体３５が最も下降して、排水弁体３５が排水口１２ａを閉止する。これにより、洗浄水の排出が終了する。
なお、この大洗浄時における死水水位ＤＷＬは、開口部４１の下端４１ｅよりも上方の位置、かつ開口部４１の切り欠き部４１ｃ，４１ｄ付近に設定されている。そのため、死水水位ＤＷＬが開口部４１の下端４１ｅよりも下方の位置に設定されている場合に比べて、開口部４１から小タンク３８内に流入する洗浄水の流速が比較的速い状態のときに貯水タンク１２内の水位が死水水位ＤＷＬに到達するため、排水弁体３５の早閉まりが発生しやすい。
しかし、本発明の実施形態のように、開口部４１に立壁４１ａ，４１ｂを設けることで、排水弁体３５の早閉まりを抑制することができる。
【０１０５】
また、開口部４１は、その下端４１ｅが小タンク３８を上下に二等分したうちの下方側に位置するため、洗浄水タンク装置１０を、装置全体の高さを抑えてローシルエット化することができるものの、開口部４１の高さ位置が低くなると、ヘッド圧（水頭圧）が大きくなることで開口部４１から小タンク３８内に流入する洗浄水の流速が大きくなることが考えられる。その結果、上述したような排水弁体３５の早閉まりが発生するおそれがある。
しかし、本発明の実施形態のように、開口部４１に立壁４１ａ，４１ｂを設けることで、排水弁体３５の早閉まりを抑制することができる。
【０１０６】
前述した各実施の形態が備える各要素は、技術的に可能な限りにおいて組み合わせることができ、これらを組み合わせたものも本発明の特徴を含む限り本発明の範囲に包含される。
【符号の説明】
【０１０７】
１        水洗大便器
２        便器本体（便器）
３        ボウル部
４        導水路
５        トラップ管路
５ａ      トラップ管路の入口
５ｂ      上昇路
５ｃ      下降路
６        リム
７        第１吐水口
８        溜水部
９        第２吐水口
１０      洗浄水タンク装置
１１      外装タンク
１２      貯水タンク
１２ａ    排水口
１３      蓋体
１３ａ    手洗い鉢
１３ｂ    吐水口
１４      給水装置
１５      排水弁装置
１６      操作装置
１７      給水管
１８      フロート（給水装置用フロート）
１９      吐水管
２０      レバー
２１      給水バルブ
２２      手洗い給水管
２３      手洗いカラン
２４      制御筒
２４ａ    外側壁
２４ｂ    内側壁
２４ｃ    中間水平壁
２４ｄ    貯水部
２４ｅ    小穴
２４ｆ    小穴
２４ｇ    開閉弁保持部
２４ｈ    流入口
２４ｉ    取付穴
２５      導水部材
２６      操作レバー
２７      モータ
２８      操作ボタン
２９      回転伝達部材
３０      第１引き上げ部材
３１      第２引き上げ部材
３２      第１玉鎖
３３      第２玉鎖
３４      弁座
３５      排水弁体
３６      オーバーフロー管
３６ａ    弁体保持部
３６ｂ    嵌合凹部
３６ｃ    リブ
３６ｄ    リブ
３６ｅ    上端部
３７      排水口形成部材
３８      小タンク
３８ａ    上縁部
３８ｂ    側面部
３８ｃ    軸
３９      フロート
３９ａ    隙間
３９ｂ    周方向端部
３９ｃ    周方向端部
３９ｄ    突出部
４０      接続部材
４１      開口部
４１ａ    立壁
４１ｂ    立壁
４１ｃ    切り欠き部
４１ｄ    切り欠き部
４１ｅ    開口部の下端
４２      切替弁（弁体）
４３      係止／係止解除機構部
４４      スライド部材
４５      開閉弁
４５ａ    弁部
４５ｂ    支点部
４５ｃ    力点部
４６      第１切替弁
４６ａ    受部
４６ｂ    連通口
４７      第２切替弁
４７ａ    孔部
４７ｂ    突出部
４８      錘
４９      錘
５０      支持部材
５０ａ    固定部
５０ｂ    ヒンジ軸部
５１      カム部材
５１ａ    取付穴部
５１ｂ    第１アーム部
５１ｃ    第２アーム部
５２      圧縮コイルばね
【図１】
2018188821.tif 000003
【図２】
2018188821.tif 000004
【図３】
2018188821.tif 000005
【図４】
2018188821.tif 000006
【図５】
2018188821.tif 000007
【図６】
2018188821.tif 000008
【図７】
2018188821.tif 000009
【図８Ａ】
2018188821.tif 000010
【図８Ｂ】
2018188821.tif 000011
【図８Ｃ】
2018188821.tif 000012
【図９】
2018188821.tif 000013
【図１０】
2018188821.tif 000014
【図１１】
2018188821.tif 000015